(57)【要約】【課題】ユーザが通話を希望しない着信に対して回線を切断して通話を回避する携帯電話機を提供する。【解決手段】受信待受けの状態（Ｃ１）で着信検出されたとき（Ｃ２）、筐体を開状態とすると発信者電話番号が抽出され、登録されている電話番号データと同発信者電話番号との一致／不一致が判定され、同発信者電話番号が登録されているものか否かが確認される（Ｃ４）。判定結果が不一致のとき、発信者電話番号が登録されていないので（Ｃ５）、この旨及び抽出された発信者電話番号が表示される。ユーザは、表示の内容に基づいて通話状態とするか否かを選択する（Ｃ６）。ユーザは、通話状態とする場合（Ｃ７）、通話開始ボタン２４を押下すると（Ｃ８）、回線接続されて通話が開始される（Ｃ９、Ｃ１０）。通話終了すると、筐体が閉状態とされ、回線が切断される（Ｃ１１、Ｃ１２、Ｃ１３）。【選択図】      図５
2004236041.tif 000002
【特許請求の範囲】
【請求項１】
ユーザが接続を希望しない着信に対して通話を回避する携帯電話機であって、
無線基地局との間で電波を送受信する無線部と、
該無線部で受信された電波の発信者電話番号を抽出する電話番号抽出部と、
ユーザが任意に選択した一つ又は複数の電話番号データを記憶する電話番号記憶部と、
該電話番号記憶部に記憶されている前記各電話番号データと前記電話番号抽出部で抽出された前記発信者電話番号との一致／不一致を判定し、この判定結果に基づいて通話状態を制御する制御部とを備えてなることを特徴とする携帯電話機。
【請求項２】
ユーザが接続を希望しない着信に対して通話を回避する携帯電話機であって、
第１のユニットと第２のユニットとがヒンジ部を介して折り畳まれるように構成され、かつ、
前記第１のユニットと前記第２のユニットとが開状態になったとき、開状態検出信号を発生する開状態検出部と、
無線基地局との間で電波を送受信する無線部と、
該無線部で受信された電波の発信者電話番号を抽出する電話番号抽出部と、
ユーザが任意に選択した一つ又は複数の電話番号データを記憶する電話番号記憶部と、
前記開状態検出部から前記開状態検出信号が発生したとき、前記電話番号記憶部に記憶されている前記各電話番号データと前記電話番号抽出部で抽出された前記発信者電話番号との一致／不一致を判定し、この判定結果に基づいて通話状態を制御する制御部とを備えてなることを特徴とする携帯電話機。
【請求項３】
前記制御部は、
前記電話番号抽出部で前記発信者電話番号が抽出されないとき、前記一致／不一致を判定することなく、前記通話状態を制御する構成とされていることを特徴とする請求項１又は２記載の携帯電話機。
【請求項４】
ユーザが接続を希望しない着信に対して通話を回避する携帯電話機であって、
無線基地局との間で電波を送受信する無線部と、
該無線部で受信された電波の発信者電話番号を抽出する電話番号抽出部と、
ユーザが任意に選択した一つ又は複数の電話番号データを記憶する電話番号記憶部と、
前記電話番号抽出部で抽出された前記発信者電話番号を表示する表示部と、
前記電話番号記憶部に記憶されている前記各電話番号データと前記電話番号抽出部で抽出された前記発信者電話番号との一致／不一致を判定し、前記各電話番号データのうちのいずれか一つと一致の判定結果が得られたときに通話状態又は非通話状態を選択的に設定し、不一致の判定結果が得られたときに通話状態とするか否かを前記表示されている発信者電話番号に基づいてユーザに選択させる制御部とを備えてなることを特徴とする携帯電話機。
【請求項５】
ユーザが接続を希望しない着信に対して通話を回避する携帯電話機であって、
第１のユニットと第２のユニットとがヒンジ部を介して折り畳まれるように構成され、かつ、
前記第１のユニットと前記第２のユニットとが開状態になったとき、開状態検出信号を発生する開状態検出部と、
無線基地局との間で電波を送受信する無線部と、
該無線部で受信された電波の発信者電話番号を抽出する電話番号抽出部と、
ユーザが任意に選択した一つ又は複数の電話番号データを記憶する電話番号記憶部と、
前記電話番号抽出部で抽出された前記発信者電話番号を表示する表示部と、
前記開状態検出部から前記開状態検出信号が発生したとき、前記電話番号記憶部に記憶されている前記各電話番号データと前記電話番号抽出部で抽出された前記発信者電話番号との一致／不一致を判定し、前記各電話番号データのうちのいずれか一つと一致の判定結果が得られたときに通話状態又は非通話状態を選択的に設定し、不一致の判定結果が得られたときに通話状態とするか否かを前記表示されている発信者電話番号に基づいてユーザに選択させる制御部とを備えてなることを特徴とする携帯電話機。
【請求項６】
前記制御部は、
前記電話番号抽出部で前記発信者電話番号が抽出されないとき、前記一致／不一致を判定することなく、通話状態とするか否かをユーザに選択させる構成とされていることを特徴とする請求項４又は５記載の携帯電話機。
【請求項７】
無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部とを備えてなる携帯電話機に用いられ、
前記電話番号記憶部に記憶されている前記各電話番号データと前記電話番号抽出部で抽出された前記発信者電話番号との一致／不一致を判定し、この判定結果に基づいて通話状態を制御することを特徴とする通話制御方法。
【請求項８】
第１のユニットと第２のユニットとがヒンジ部を介して折り畳まれるように構成された携帯電話機に用いられ、
前記第１のユニットと前記第２のユニットとが開状態になったとき、開状態検出信号を発生する開状態検出処理と、
受信された電波の発信者電話番号を抽出する電話番号抽出処理と、
ユーザが任意に選択した一つ又は複数の電話番号データを記憶する電話番号記憶処理と、
前記開状態検出信号が発生したとき、記憶されている前記各電話番号データと前記抽出された前記発信者電話番号との一致／不一致を判定する一致／不一致判定処理とを行い、
該一致／不一致判定処理の判定結果に基づいて通話状態を制御することを特徴とする通話制御方法。
【請求項９】
前記発信者電話番号が抽出されないとき、前記一致／不一致判定処理を行うことなく、通話状態を制御することを特徴とする請求項７又は８記載の通話制御方法。
【請求項１０】
無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部と、前記電話番号抽出部で抽出された前記発信者電話番号を表示する表示部とを備えてなる携帯電話機に用いられ、
前記電話番号記憶部に記憶されている前記各電話番号データと前記電話番号抽出部で抽出された前記発信者電話番号との一致／不一致を判定し、前記各電話番号データのうちのいずれか一つと一致の判定結果が得られたときに通話状態又は非通話状態を選択的に設定し、不一致の判定結果が得られたときに通話状態とするか否かを前記表示されている発信者電話番号に基づいてユーザに選択させることを特徴とする通話制御方法。
【請求項１１】
第１のユニットと第２のユニットとがヒンジ部を介して折り畳まれるように構成された携帯電話機に用いられ、
前記第１のユニットと前記第２のユニットとが開状態になったとき、開状態検出信号を発生する開状態検出処理と、
受信された電波の発信者電話番号を抽出する電話番号抽出処理と、
ユーザが任意に選択した一つ又は複数の電話番号データを記憶する電話番号記憶処理と、
前記抽出された前記発信者電話番号を表示する表示処理と、
前記開状態検出信号が発生したとき、記憶されている前記各電話番号データと前記抽出された前記発信者電話番号との一致／不一致を判定する一致／不一致判定処理とを行い、
前記各電話番号データのうちのいずれか一つと一致の判定結果が得られたときに通話状態又は非通話状態を選択的に設定し、不一致の判定結果が得られたときに通話状態とするか否かを前記表示されている前記発信者電話番号に基づいてユーザに選択させることを特徴とする通話制御方法。
【請求項１２】
前記発信者電話番号が抽出されないとき、前記一致／不一致を判定することなく、通話状態とするか否かをユーザに選択させることを特徴とする請求項１０又は１１記載の通話制御方法。
【請求項１３】
コンピュータに請求項１乃至６記載の携帯電話機の機能を実現させるための通話制御プログラム。
【発明の詳細な説明】
【０００１】
【発明の属する技術分野】
この発明は、携帯電話機、該携帯電話機に用いられる通話制御方法及び通話制御プログラムに係り、たとえば、ユーザが通話を希望しない発信者から頻繁に着信がある場合に用いて好適な携帯電話機、該携帯電話機に用いられる通話制御方法及び通話制御プログラムに関する。
【０００２】
【従来の技術】
携帯電話機では、着信時にユーザが通話開始キーボタンを押下することにより回線が接続されて通話状態となる。また、折畳み式の携帯電話機では、着信時にユーザが筐体を開状態にすることにより、回線が接続されて通話状態となるものもある。
【０００３】
この種の携帯電話機は、従来では、たとえば図７に示すように、無線部１と、アンテナ１ａと、操作部２と、送話器３と、受話器４と、表示部５と、記憶部６と、制御部７とから構成されている。無線部１は、アンテナ１ａを介して図示しない無線基地局との間で電波を送受信する。操作部２は、キー操作部２ａと、筐体開閉操作部２ｂとから構成されている。キー操作部２ａは、通話開始キーボタン、英字／カナ／漢字／数字の変換ボタン、電源のオン／オフボタン、カーソル操作を行うための十文字ボタン、及び終了ボタンなどから構成され、押下されたときにキー操作信号Ｋを発生する。筐体開閉操作部２ｂは、たとえばホール素子などで構成された磁気センサ、及び磁石を有し、同磁石の磁気によって磁気検出信号Ｍを発生する。送話器３は、ユーザの音声を受けて送話を行う。受話器４は、送信相手の音声を発生して利用者に伝達する。
【０００４】
表示部５は、たとえばＬＣＤ（Ｌｉｑｕｉｄ  Ｃｒｙｓｔａｌ  Ｄｉｓｐｌａｙ）などで構成され、発信者の電話番号データやアイコン情報など、諸々の情報を表示する。記憶部６は、たとえばＲＯＭ（Ｒｅａｄ  Ｏｎｌｙ  Ｍｅｍｏｒｙ）及びＲＡＭ（Ｒａｎｄａｍ  Ａｃｃｅｓｓ  Ｍｅｍｏｒｙ）などで構成され、制御部７を動作させるための制御プログラムや、表示部５に表示するためのデータなどを記憶する。制御部７は、たとえばＣＰＵ（中央処理装置）などで構成され、キー認識部７ａと、開閉検出部７ｂとを備え、記憶部６に記憶されている制御プログラムに基づいて携帯電話機全体を制御する。キー認識部７ａは、キー操作部２ａから発生したキー操作信号Ｋに基づいて同キー操作部２ａの操作状態を認識する。開閉検出部７ｂは、筐体開閉操作部２ｂから発生した磁気検出信号Ｍに基づいて筐体の開閉状態を検出する。
【０００５】
この携帯電話機では、図８に示すように、着信又は終話時に、筐体の開閉にて通話開始及び終了が行われるか否かが設定され（ステップＡ１）、設定されない場合はステップＡ２へ進む。そして、着信が検出され（ステップＡ２）、筐体が開状態にされて（ステップＡ３）通話開始ボタンが押下され（ステップＡ４）、回線が接続されて（ステップＡ５）通話が開始される（ステップＡ６）。通話が終了すると（ステップＡ７）、通話終了ボタンが押下され（ステップＡ８）、回線が切断されて（ステップＡ９）筐体が閉状態にされる（ステップＡ１０）。
【０００６】
また、前記ステップＡ１で筐体の開閉にて通話開始及び終了が行われるか否かが設定される場合は、ステップＡ１１へ進む。そして、着信が検出され（ステップＡ１１）、筐体が開状態にされて（ステップＡ１２）回線が接続され（ステップＡ１３）、通話が開始される（ステップＡ１４）。通話が終了すると（ステップＡ１５）、筐体が閉状態にされ（ステップＡ１６）、回線が切断される（ステップＡ１７）。
【０００７】
上記の携帯電話機の他、従来、この種の技術としては、たとえば、次のような文献に記載されるものがあった。
特許文献１に記載された携帯電話機では、折り畳んだ状態又はカバーが操作部の全部あるいは一部を覆う状態から発信時の開いた状態が検出された際、音声認識動作が起動され、かつ、ダイヤル発信禁止の解除や発信にかかる音声データが音声認識され、この音声認識が正常に行われた際、ダイヤル発信禁止が解除され、また、特定の電話番号に対して自動的に発信される。このため、音声認識を起動するための特番キーの操作が不要になり、使い勝手が向上する。
【０００８】
特許文献２に記載された携帯電話機では、筐体の開閉状態が光検出により判定され、閉状態で着信があったとき、ユーザが携帯電話機の筐体を開く動作のみで通話が開始され、操作の煩雑さが解消される。
【０００９】
【特許文献１】
特開２０００−２４４６２５号公報（第１頁、図４）
【特許文献２】
特開平１１−０１７７８５号公報（第１頁、図３）
【００１０】
【発明が解決しようとする課題】
しかしながら、上記従来の携帯電話機では、次のような問題点があった。
すなわち、図７の携帯電話機や、特許文献１及び特許文献２に記載された携帯電話機では、筐体が開状態にされることにより、所定の動作が開始されるが、たとえば間違い電話やいたずら電話など、ユーザの希望しない発信者との通話を未然に回避することができないという問題点があった。この問題点を改善するために、携帯電話会社では、ユーザの希望しない発信者との通話を回避するサービス（たとえば、“迷惑電話ストップサービス”など）が行われている。このサービスでは、ユーザが一度受けた着呼に対して通話終了後にたとえば“１４４２”などをダイヤルすることにより、交換機側で同発信者が登録され、次回から同発信者からの着呼がなくなる。この場合、ユーザが予め相手先電話番号を指定して通話を回避するための登録はできず、少なくとも一度通話を行う必要があるため、処理が煩雑であるという問題点があった。
【００１１】
この発明は、上述の事情に鑑みてなされたもので、ユーザの希望しない発信者との通話が未然に回避される携帯電話機、該携帯電話機に用いられる通話制御方法及び通話制御プログラムを提供することを目的としている。
【００１２】
【課題を解決するための手段】
上記課題を解決するために、請求項１記載の発明は、ユーザが接続を希望しない着信に対して通話を回避する携帯電話機に係り、無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部と、該電話番号記憶部に記憶されている前記各電話番号データと前記電話番号抽出部で抽出された前記発信者電話番号との一致／不一致を判定し、この判定結果に基づいて通話状態を制御する制御部とを備えてなることを特徴としている。
【００１３】
請求項２記載の発明は、ユーザが接続を希望しない着信に対して通話を回避する携帯電話機に係り、第１のユニットと第２のユニットとがヒンジ部を介して折り畳まれるように構成され、かつ、前記第１のユニットと前記第２のユニットとが開状態になったとき、開状態検出信号を発生する開状態検出部と、無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部と、前記開状態検出部から前記開状態検出信号が発生したとき、前記電話番号記憶部に記憶されている前記各電話番号データと前記電話番号抽出部で抽出された前記発信者電話番号との一致／不一致を判定し、この判定結果に基づいて通話状態を制御する制御部とを備えてなることを特徴としている。
【００１４】
請求項３記載の発明は、請求項１又は２記載の携帯電話機に係り、前記制御部は、前記電話番号抽出部で前記発信者電話番号が抽出されないとき、前記一致／不一致を判定することなく、前記通話状態を制御する構成とされていることを特徴としている。
【００１５】
請求項４記載の発明は、ユーザが接続を希望しない着信に対して通話を回避する携帯電話機に係り、無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部と、前記電話番号抽出部で抽出された前記発信者電話番号を表示する表示部と、前記電話番号記憶部に記憶されている前記各電話番号データと前記電話番号抽出部で抽出された前記発信者電話番号との一致／不一致を判定し、前記各電話番号データのうちのいずれか一つと一致の判定結果が得られたときに通話状態又は非通話状態を選択的に設定し、不一致の判定結果が得られたときに通話状態とするか否かを前記表示されている発信者電話番号に基づいてユーザに選択させる制御部とを備えてなることを特徴としている。
【００１６】
請求項５記載の発明は、ユーザが接続を希望しない着信に対して通話を回避する携帯電話機に係り、第１のユニットと第２のユニットとがヒンジ部を介して折り畳まれるように構成され、かつ、前記第１のユニットと前記第２のユニットとが開状態になったとき、開状態検出信号を発生する開状態検出部と、無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部と、前記電話番号抽出部で抽出された前記発信者電話番号を表示する表示部と、前記開状態検出部から前記開状態検出信号が発生したとき、前記電話番号記憶部に記憶されている前記各電話番号データと前記電話番号抽出部で抽出された前記発信者電話番号との一致／不一致を判定し、前記各電話番号データのうちのいずれか一つと一致の判定結果が得られたときに通話状態又は非通話状態を選択的に設定し、不一致の判定結果が得られたときに通話状態とするか否かを前記表示されている発信者電話番号に基づいてユーザに選択させる制御部とを備えてなることを特徴としている。
【００１７】
請求項６記載の発明は、請求項４又は５記載の携帯電話機に係り、前記制御部は、前記電話番号抽出部で前記発信者電話番号が抽出されないとき、前記一致／不一致を判定することなく、通話状態とするか否かをユーザに選択させる構成とされていることを特徴としている。
【００１８】
請求項７記載の発明は、無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部とを備えてなる携帯電話機に用いられ、前記電話番号記憶部に記憶されている前記各電話番号データと前記電話番号抽出部で抽出された前記発信者電話番号との一致／不一致を判定し、この判定結果に基づいて通話状態を制御することを特徴としている。
【００１９】
請求項８記載の発明は、第１のユニットと第２のユニットとがヒンジ部を介して折り畳まれるように構成された携帯電話機に用いられ、前記第１のユニットと前記第２のユニットとが開状態になったとき、開状態検出信号を発生する開状態検出処理と、受信された電波の発信者電話番号を抽出する電話番号抽出処理と、ユーザが任意に選択した一つ又は複数の電話番号データを記憶する電話番号記憶処理と、前記開状態検出信号が発生したとき、記憶されている前記各電話番号データと前記抽出された前記発信者電話番号との一致／不一致を判定する一致／不一致判定処理とを行い、該一致／不一致判定処理の判定結果に基づいて通話状態を制御することを特徴としている。
【００２０】
請求項９記載の発明は、請求項７又は８記載の通話制御方法に係り、前記発信者電話番号が抽出されないとき、前記一致／不一致判定処理を行うことなく、通話状態を制御することを特徴としている。
【００２１】
請求項１０記載の発明は、無線基地局との間で電波を送受信する無線部と、該無線部で受信された電波の発信者電話番号を抽出する電話番号抽出部と、ユーザが任意に選択した一つ又は複数の電話番号データを記憶する電話番号記憶部と、前記電話番号抽出部で抽出された前記発信者電話番号を表示する表示部とを備えてなる携帯電話機に用いられ、前記電話番号記憶部に記憶されている前記各電話番号データと前記電話番号抽出部で抽出された前記発信者電話番号との一致／不一致を判定し、前記各電話番号データのうちのいずれか一つと一致の判定結果が得られたときに通話状態又は非通話状態を選択的に設定し、不一致の判定結果が得られたときに通話状態とするか否かを前記表示されている発信者電話番号に基づいてユーザに選択させることを特徴としている。
【００２２】
請求項１１記載の発明は、第１のユニットと第２のユニットとがヒンジ部を介して折り畳まれるように構成された携帯電話機に用いられ、前記第１のユニットと前記第２のユニットとが開状態になったとき、開状態検出信号を発生する開状態検出処理と、受信された電波の発信者電話番号を抽出する電話番号抽出処理と、ユーザが任意に選択した一つ又は複数の電話番号データを記憶する電話番号記憶処理と、前記抽出された前記発信者電話番号を表示する表示処理と、前記開状態検出信号が発生したとき、記憶されている前記各電話番号データと前記抽出された前記発信者電話番号との一致／不一致を判定する一致／不一致判定処理とを行い、前記各電話番号データのうちのいずれか一つと一致の判定結果が得られたときに通話状態又は非通話状態を選択的に設定し、不一致の判定結果が得られたときに通話状態とするか否かを前記表示されている前記発信者電話番号に基づいてユーザに選択させることを特徴としている。
【００２３】
請求項１２記載の発明は、請求項１０又は１１記載の通話制御方法に係り、前記発信者電話番号が抽出されないとき、前記一致／不一致を判定することなく、通話状態とするか否かをユーザに選択させることを特徴としている。
【００２４】
請求項１３記載の発明は、通話制御プログラムに係り、コンピュータに請求項１乃至６記載の携帯電話機の機能を実現させることを特徴としている。
【００２５】
【発明の実施の形態】
以下、図面を参照して、この発明の実施の形態について説明する。
図１は、この発明の実施形態である携帯電話機の電気的構成を示すブロック図である。
この形態の携帯電話機は、折畳み式の筐体を有し、同図に示すように、無線部１１と、アンテナ１１ａと、操作部１２と、送話器１３と、受話器１４と、表示部１５と、記憶部１６と、制御部１７とから横成されている。無線部１１は、アンテナ１１ａを介して図示しない無線基地局との間で電波を送受信する。操作部１２は、キー操作部１２ａと、筐体開閉操作部１２ｂとから構成されている。キー操作部１２ａは、通話開始キーボタン、英字／カナ／漢字／数字の変換ボタン、電源のオン／オフボタン、カーソル操作を行うための十文字ボタン、及び終了ボタンなどから構成され、押下されたときにキー操作信号Ｋを発生する。筐体開閉操作部１２ｂは、たとえばホール素子などで構成された磁気センサ、及び磁石を有し、筐体の開閉時に同磁石の磁気によって同磁気センサから磁気検出信号Ｍを発生する。
【００２６】
送話器１３は、ユーザの音声を受けて送話を行う。受話器１４は、送信相手の音声を発生して利用者に伝達する。表示部１５は、たとえばＬＣＤなどで構成され、発信者の電話番号データやアイコン情報など、諸々の情報を表示する。記憶部１６は、たとえばＲＯＭ及びＲＡＭなどで横成され、制御部１７に携帯電話機の機能を実現させるための通話制御プログラムや、表示部１５に表示するためのデータなどを記憶する。特に、この実施形態では、記憶部１６は、ユーザが任意に選択した電話番号データを記憶する。
【００２７】
制御部１７は、たとえばＣＰＵなどで横成され、キー認識部１７ａと、開閉検出部１７ｂとを備え、記憶部１６に記憶されている通話制御プログラムに基づいて携帯電話機全体を制御する。キー認識部１７ａは、キー操作部１２ａから発生したキー操作信号Ｋに基づいて同キー操作部１２ａの操作状態を認識する。開閉検出部１７ｂは、筐体開閉操作部１２ｂから発生した磁気検出信号Ｍに基づいて筐体の開閉状態を検出し、開状態になったとき、開状態検出信号を発生する。特に、この実施形態では、制御部１７は、ユーザが発信者電話番号通知サービスを契約している場合、無線部１１で受信された電波の発信者電話番号を抽出し、開閉検出部１７ｂから開状態検出信号が発生したとき、記憶部１６に記憶されている各電話番号データと前記抽出された発信者電話番号との一致／不一致を判定し、各電話番号データのうちのいずれか一つと一致の判定結果が得られたときに通話状態とし、不一致との判定結果が得られたときに通話状態とするか否かを表示部１５に表示されている発信者電話番号に基づいてユーザに選択させる。また、制御部１７は、前記発信者電話番号が抽出されないとき、前記一致／不一致を判定することなく、通話状態とするか否かをユーザに選択させる。
【００２８】
図２及び図３は、図１の携帯電話機の外形の一例を示す図である。
この携帯電話機は、図２に示すように、第１のユニット２１には、アンテナ１１ａ、筐体開閉操作部１２ｂ、受話器１４、及び表示部１５が設けられている。第２のユニット２２には、キー操作部１２ａ、及び送話器１３が設けられ、同キー操作部１２ａには、通話開始ボタン２４及び通話終了ボタン２５が含まれている。また、図３に示すように、表示部１５及びキー操作部１２ａが向かい合う態様で第１のユニット２１と第２のユニット２２とがヒンジ部２３を介して折り畳まれるように構成されている。
【００２９】
図４、図５及び図６は、図１の携帯電話機の動作を説明するフローチャートである。
これらの図を参照して、この形態の通話制御方法の処理内容について説明する。
図４に示すように、始めに、ユーザは、キー操作部１２ａを操作することにより、着信時の応答動作の方法を選択する（ステップＢ１）。この場合、従来と同様に、着信時に通話開始ボタン２４の押下で通話回線を接続する方法と、着信時に筐体が折畳まれた状態（図３、閉状態）から開状態（図２）ヘの変化を検出することによって通話ヘ移行する方法とがある。ユーザが前者の方法を選択した場合、ステップＢ６ヘ進み、該当する初期設定が行われ、設定が終了する（ステップＢ４）。また、ユーザが後者の方法を選択した場合、ステップＢ２へ進む。
【００３０】
ステップＢ２では、ユーザは、第１又は第２のパターンのいずれか一つを選択する。すなわち、第１のパターンでは、ユーザは、全ての着信を筐体の開動作で通話に移行させる。また、第２のパターンでは、ユーザが任意に選択した一つ又は複数の電話番号データを記憶部１６に予め記憶させておき（電話番号記憶処理）、同記憶部１６に記憶されていない発信者電話番号から着信があったときは、筐体の開動作のみでは通話に移行せず、表示部１５に表示される発信者電話番号をユーザが見て判断した後、ユーザが通話開始ボタン２４を押下することにより通話ヘ移行する。ユーザが第１のパターンを選択した場合、ステップＢ３ヘ進む。ステップＢ３では、着信があったときは全て筐体の開動作で通話に移行させて回線を接続し、設定が終了する（ステップＢ４）。ユーザが第２のパターンを選択した場合、ステップＢ５へ進む。ステップＢ５では、記憶部１６に発信者電話番号の登録のない着信に対して規制をかけるように設定され、設定が終了する（ステップＢ４）。
【００３１】
ステップＢ５，Ｂ４における設定の後、図５に示すように、受信待受けの状態（ステップＣ１）で着信が検出されたとき（ステップＣ２）、たとえば着メロが発生するので、ユーザが筐体（第１のユニットと第２のユニット）を開状態とすると、開閉検出部１７ｂから開状態検出信号が発生する（ステップＣ３、開状態検出処理）。無線部１１で受信された電波の発信者電話番号が抽出され（電話番号抽出処理）、記憶部１６にアクセスして同記憶部１６に登録されている電話番号データと同発信者電話番号との一致／不一致が判定され（一致／不一致判定処理）、同発信者電話番号が記憶部１６に登録されているものか否かが確認される（ステップＣ４）。
【００３２】
一致／不一致判定処理において、不一致の判定結果が得られたとき、発信者電話番号が記憶部１６に登録されていないので（ステップＣ５）、この旨及び抽出された発信者電話番号が表示部１５に表示される（表示処理）。ユーザは、表示の内容に基づいて通話状態とするか否かを選択する（ステップＣ６）。ユーザは、通話状態とする場合（ステップＣ７）、通話開始ボタン２４を押下する（ステップＣ８）。すると、回線が接続され（ステップＣ９）、通話が開始される（ステップＣ１０）。通話が終了すると（ステップＣ１１）、筐体が閉状態にされ（ステップＣ１２）、回線が切断される（ステップＣ１３）。
【００３３】
また、前記ステップＣ７において、ユーザが通話状態としない場合、ステップＣ１２ヘ進み、筐体が閉状態にされる。また、前記ステップＣ５において、一致の判定結果が得られたとき、発信者電話番号が記憶部１６に登録されているので、ステップＣ９へ進み、回線が接続されて通話状態となる。
【００３４】
上記図５では、抽出された発信者電話番号が記憶部１６に登録されている電話番号データと一致していないとき、ユーザの操作により接続を回避しているが、いたずら電話などのように、発信者電話番号が抽出されない（すなわち、発信者が送信先の電話番号の前に“１８４”を付加してダイヤルしている）着信があったときには、図６に示す処理を行うこともできる。すなわち、同図６に示すように、受信待受けの状態（ステップＤ１）で着信が検出されたとき（ステップＤ２）、たとえば着メロが発生するので、ユーザが筐体（第１のユニットと第２のユニット）を開状態とすると、開閉検出部１７ｂから開状態検出信号が発生する（ステップＤ３、開状態検出処理）。無線部１１で受信された電波の発信者電話番号が抽出されないとき（ステップＤ４）、この旨が表示部１５に表示されると共に、図５中のステップＣ４における一致／不一致判定処理が省略される。ユーザは、表示の内容に基づいて通話状態とするか否かを選択する（ステップＤ５）。ユーザは、通話状態とする場合（ステップＤ６）、通話開始ボタン２４を押下する（ステップＤ７）。すると、回線が接続され（ステップＤ８）、通話が開始される（ステップＤ９）。通話が終了すると（ステップＤ１０）、筐体が閉状態にされ（ステップＤ１１）、回線が切断される（ステップＤ１２）。
【００３５】
また、前記ステップＤ６において、ユーザが通話状態としない場合、ステップＤ１１ヘ進み、筐体が閉状態にされる。また、前記ステップＤ４において、無線部１１で受信された電波の発信者電話番号が抽出されたとき、ステップＤ８ヘ進み、回線が接続されて通話状態となる。
【００３６】
以上のように、この実施形態では、無線部１１で受信された電波の発信者電話番号が抽出され、記憶部１６に登録されている電話番号データと同発信者電話番号との一致／不一致が判定されるので、間違い電話などのユーザが接続を希望しない着信に対して筐体の開閉のみの簡単な操作で通話が回避される。また、いたずら電話の着信など、発信者電話番号が抽出されない着信があったとき、この旨が表示部１５に表示されるので、筐体の開閉のみの簡単な操作で通話が回避されると共に、図５中のステップＣ４における一致／不一致判定処理が省略され、記憶部１６に対するアクセスが減少する。また、記憶部１６に対し、予め相手先電話番号を指定して通話を回避するための登録ができるので、携帯電話会社の“迷惑電話ストップサービス”などを利用することなく通話を回避でき、処理が簡単になる。
【００３７】
以上、この発明の実施形態を図面により詳述してきたが、具体的な構成はこの実施形態に限られるものではなく、この発明の要旨を逸脱しない範囲の設計の変更などがあっても、この発明に含まれる。
たとえば、実施形態では、図５中のステップＣ５において、一致の判定結果が得られたとき、ステップＣ９ヘ進み、回線が接続されて通話状態となるが、抽出された発信者電話番号がユーザの希望しない発信者のものである場合、回線を接続しない（すなわち、非通話状態とする）という方法もある。この場合、記憶部１６に記憶されている各電話番号データ毎に、たとえば、情報“回線を接続する”又は“回線を接続しない”を付加する。また、実施形態では、携帯電話機の筐体が折畳み式であるが、ストレートタイプの場合でも、折畳み式の筐体の開閉動作のステップ以外は、上記実施形態とほぼ同様の作用、効果が得られる。
【００３８】
【発明の効果】
以上説明したように、この発明の構成によれば、無線部で受信された電波の発信者電話番号が抽出され、電話番号記憶部に登録されている電話番号データと同発信者電話番号との一致／不一致を判定し、この判定結果に基づいて通話状態を制御するので、たとえば間違い電話などのユーザが接続を希望しない着信に対して簡単な操作で通話を回避できる。また、いたずら電話の着信など、発信者電話番号が抽出されない着信があったとき、この旨が表示部に表示されるので、簡単な操作で通話を回避できると共に、一致／不一致判定処理を省略でき、電話番号記憶部に対するアクセスを減らすことができる。また、記憶部に対し、予め相手先電話番号を指定して通話を回避するための登録ができるので、携帯電話会社の“迷惑電話ストップサービス”などを利用することなく通話を回避でき、処理を簡単にできる。
【図面の簡単な説明】
【図１】この発明の実施形態である携帯電話機の電気的構成を示すブロック図である。
【図２】図１の携帯電話機の外形の一例を示す図である。
【図３】図１の携帯電話機の外形の一例を示す図である。
【図４】図１の携帯電話機の動作を説明するフローチャートである。
【図５】図１の携帯電話機の動作を説明するフローチャートである。
【図６】図１の携帯電話機の動作を説明するフローチャートである。
【図７】従来の携帯電話機の電気的構成を示すブロック図である。
【図８】図７の携帯電話機の動作を説明するフローチャートである。
【符号の説明】
１１      無線部
１１ａ      アンテナ
１２      操作部
１２ａ      キー操作部
１２ｂ      筐体開閉操作部（開状態検出部）
１３      送話器
１４      受話器
１５      表示部
１６      記憶部（電話番号記憶部）
１７      制御部（電話番号抽出部）
１７ａ      キー認識部
１７ｂ      開閉検出部（開状態検出部）
２１      第１のユニット
２２      第２のユニット
２３      ヒンジ部
【図１】
2004236041.tif 000003
【図２】
2004236041.tif 000004
【図３】
2004236041.tif 000005
【図４】
2004236041.tif 000006
【図５】
2004236041.tif 000007
【図６】
2004236041.tif 000008
【図７】
2004236041.tif 000009
【図８】
2004236041.tif 000010